(57)【特許請求の範囲】
【請求項１】
ベースに対して昇降駆動される昇降部材に、リベット体の突起を打撃するハンマーとスナップ嵌合体を保持する保持部材とを備えた打込み装置を設ける一方、前記ベースには、前記打込み装置の直下位置に、リベット体を載置する受け部材と、当該受け部材に対して上下方向摺動自在に外嵌する筒状ガイドと、当該筒状ガイドを上方へ摺動付勢するスプリングとを備えたリベット体支持装置を設け、前記保持部材にスナップ嵌合体を保持させ且つ前記受け部材にリベット体を載置すると共に、リベット体支持装置と打込み装置間に可撓性シートを介装した状態で、打込み装置を昇降駆動することにより、可撓性シートを通してスナップ嵌合体の中央貫通孔に挿入されたリベット体の突起を前記ハンマーで打撃し、突起先端部を拡径変形させてスナップ嵌合体の中央貫通孔にカシメ止めするようにしたスナップファスナー取付け機において、前記筒状ガイドの内周面に環状段部を形成し、当該環状段部に、前記リベット体の頭部と嵌合するリング状の化粧部材を載置し、この状態でリベット体の突起をスナップ嵌合体の中央貫通孔にカシメ止めすることにより、前記化粧部材とリベット体とを一体化させるように構成してあることを特徴とするスナップファスナー取付け機。
【請求項２】
上面の開口した筒軸部とその上端に連設されたフランジ部とを有するケースの内部に、上端にリベット体の頭部を支持する支持面が形成された受け部材を、前記筒軸部の底板部に支持された状態に設け、且つ、前記受け部材に対して上下方向摺動自在に外嵌すると共に、受け部材の一部と係合して上方への抜け出しを阻止できるように下端が内側に折れ曲がった筒状ガイドと、当該筒状ガイドを上方へ摺動付勢するスプリングとを設けて成るリベット体支持装置であって、前記筒状ガイドの内周面に前記リベット体の頭部と嵌合するリング状の化粧部材を載置するための環状段部を形成したことを特徴とするリベット体支持装置。
【発明の詳細な説明】
【０００１】
【発明の属する技術分野】
本発明は、ベースに対して昇降駆動される昇降部材に、リベット体の突起を打撃するハンマーとスナップ嵌合体を保持する保持部材とを備えた打込み装置を設ける一方、前記ベースには、前記打込み装置の直下位置に、リベット体を載置する受け部材と、当該受け部材に対して上下方向摺動自在に外嵌する筒状ガイドと、当該筒状ガイドを上方へ摺動付勢するスプリングとを備えたリベット体支持装置を設け、前記保持部材にスナップ嵌合体を保持させ且つ前記受け部材にリベット体を載置すると共に、リベット体支持装置と打込み装置間に可撓性シートを介装した状態で、打込み装置を昇降駆動することにより、可撓性シートを通してスナップ嵌合体の中央貫通孔に挿入されたリベット体の突起を前記ハンマーで打撃し、突起先端部を拡径変形させてスナップ嵌合体の中央貫通孔にカシメ止めするようにしたスナップファスナー取付け機と、そのスナップファスナー取付け機に使用されるリベット体支持装置に関する。
【０００２】
【従来の技術】
スナップファスナーにおける雄型又は雌型のスナップ嵌合体を衣服等の可撓性シートに止着するリベット体として、図１１の（Ａ）に示すように、突起ａの元端に連設された円形板部ｂの周縁部ｃを立ち上げ、この立ち上がり周縁部ｃで合成樹脂等により構成された円盤状の化粧部材ｄをカシメ止めした化粧リベット体が既に知られており、これは、一般に、「金巻き」と称されている。
【０００３】
また、図１１の（Ｂ）に示すように、突起ａとその元端の円形板部ｂとを合成樹脂の射出成形品とし、前記円形板部ｂの立ち上がり周縁部ｃで合成樹脂等により構成された円盤状の化粧部材ｄをカシメ止めした化粧リベット体も、既に知られている。
【０００４】
【発明が解決しようとする課題】
上記の化粧リベット体は、何れも、衣服等に取り付けられる前の部品の段階で、既に、突起ａ付きの部材と化粧部材ｄとをカシメ止めにより一体化した製品となっているため、衣服の色やデザインに対応できるように、二部材の色をかえた何種類もの製品を準備しておく必要があり、少量多品種の商品であることが臨まれる衣服用スナップファスナーとしては、非常に不利である。
【０００５】
上記の現状に鑑み、本発明は、スナップファスナー取付け機におけるリベット体支持装置の構造を工夫することにより、衣服等にスナップファスナーを取り付ける時点で、リベット体と、その頭部に嵌合するリング状化粧部材とを一体化して、衣服の色やデザインにマッチした化粧リベット体を構成できるようにし、以て、少量多品種の商品でも低コストで製造できるようにすることを目的としている。
【０００６】
【課題を解決するための手段】
上記の目的を達成するために、本発明では、リベット体支持装置に装備られている筒状ガイドの内周面に環状段部を形成し、リベット体の頭部に嵌合するリング状化粧部材を、この環状段部に載置した状態で、衣服等の可撓性シートに対する通常のスナップファスナー取付け動作を行うことにより、リベット体とリング状化粧部材とを一体化して、化粧リベット体を構成するようにしている。
【０００７】
【発明の実施の形態】
本発明は、ベースに対して昇降駆動される昇降部材に、リベット体の突起を打撃するハンマーとスナップ嵌合体を保持する保持部材とを備えた打込み装置を設ける一方、前記ベースには、前記打込み装置の直下位置に、リベット体を載置する受け部材と、当該受け部材に対して上下方向摺動自在に外嵌する筒状ガイドと、当該筒状ガイドを上方へ摺動付勢するスプリングとを備えたリベット体支持装置を設け、前記保持部材にスナップ嵌合体を保持させ且つ前記受け部材にリベット体を載置すると共に、リベット体支持装置と打込み装置間に可撓性シートを介装した状態で、打込み装置を昇降駆動することにより、可撓性シートを通してスナップ嵌合体の中央貫通孔に挿入されたリベット体の突起を前記ハンマーで打撃し、突起先端部を拡径変形させてスナップ嵌合体の中央貫通孔にカシメ止めするようにしたスナップファスナー取付け機において、前記筒状ガイドの内周面に環状段部を形成し、当該環状段部に、前記リベット体の頭部と嵌合するリング状の化粧部材を載置し、この状態でリベット体の突起をスナップ嵌合体の中央貫通孔にカシメ止めすることにより、前記化粧部材とリベット体とを一体化させるように構成することによって、実施できる。
【０００８】
また、本発明は、上面の開口した筒軸部とその上端に連設されたフランジ部とを有するケースの内部に、上端にリベット体の頭部を支持する支持面が形成された受け部材を、前記筒軸部の底板部に支持された状態に設け、且つ、前記受け部材に対して上下方向摺動自在に外嵌すると共に、受け部材の一部と係合して上方への抜け出しを阻止できるように下端が内側に折れ曲がった筒状ガイドと、当該筒状ガイドを上方へ摺動付勢するスプリングとを設けて成るリベット体支持装置において、前記筒状ガイドの内周面に前記リベット体の頭部と嵌合するリング状の化粧部材を載置するための環状段部を形成することによって実施できる。
【０００９】
【実施例】
以下、本発明の実施例を例示図に基づいて説明する。図１は、スナップファスナー取付け機を示し、図２は、その要部を示す。
【００１０】
図１において、１はスタンドであり、その上部には、駆動ケースを兼ねたベース２が連設されている。ベース２の前部側は、前方と左右両側方に開放した作業スペースＳを形成するように、上フレーム２ａと下フレーム２ｂとに分かれている。
【００１１】
上フレーム２ａに設けた筒状ガイド３には、図外の駆動機構により昇降駆動される昇降部材４が上下方向摺動自在に保持されており、昇降部材４の下端部には、打込み装置Ａが設けられている。ベース２の下フレーム２ｂには、前記打込み装置Ａの直下位置にリベット体支持装置Ｂが設けられている。
【００１２】
打込み装置Ａは、図２に示すように、リベット体の突起を打撃するハンマー５と、そのハンマー５および前記昇降部材４に対して上下方向に摺動自在で且つスプリング６によって下方に付勢された筒状の取付け部材７と、当該取付け部材７の下端部に着脱自在に連結された筒状の保持部材８とを備えている。取付け部材７の両側面には、１８０度の位相を持たせて内外に開口するスリット１０，１０が形成されている。保持部材８の外周面には、前記スリット１０，１０と対向する位置に環状溝１１が形成されている。そして、前記スリット１０，１０を通してスナップピン１２を前記環状溝１１に係合させることにより、保持部材８を取付け部材７に固定し、スナップピン１２を抜き取ることにより、保持部材８を取り外して、サイズの異なる保持部材や雄型のスナップ嵌合体用の保持部材と交換できるようになっている。１３は取付け部材７の摺動ストロークを規定する抜止め部材であり、ネジ１４によって昇降部材４の下端面に取り付けられている。
【００１３】
リベット体支持装置Ｂは、ベース２の下フレーム２ｂに穿設した孔に上方から、後述するフランジ部１５ｂが孔縁部上面に当接するまで落とし込むことによって、着脱交換自在に装着されるものであり、その具体的な構造は、次の通りである。
【００１４】
即ち、図２に示すように、上面の開口した筒軸部１５ａとその上端に連設されたフランジ部１５ｂとを有する金属製ケース１５の内部に、上端にリベット体３０の頭部３０ａを支持するための凹入湾曲した支持面１６ａが形成された受け部材１６を、前記筒軸部１５ａの底板部１５ｃに圧縮バネ１７を介して支持された状態に設けてある。１６ｂは抜け止め用ストッパーである。１８はバネ受けを兼ねるガイド筒であり、受け部材１６の小径軸部に摺動自在に套嵌してある。また、金属製ケース１５の内部には、前記受け部材１６に対して上下方向摺動自在に外嵌する筒状ガイド１９と、当該筒状ガイド１９を上方へ摺動付勢する前記圧縮バネ１７よりもバネ力の弱いスプリング２０とを設けてある。
【００１５】
前記筒状ガイド１９は横断面形状が円形であって、その内周面には、環状段部１９ａが形成されている。また、筒状ガイド１９の下端は、受け部材１６の一部と係合して上方への抜け出しを阻止できるように、内側に折れ曲がっており、この折れ曲がり部分１９ｂと前記ガイド筒１８との間に前記スプリング２０を介装してある。
【００１６】
上記の構成によれば、次のようにして、スナップファスナー取付け動作が行われるのである。即ち、図３に示すように、スナップファスナー構成部材である雌型のスナップ嵌合体４０を前記保持部材８に保持させる一方、他のスナップファスナー構成部材である合成樹脂製のリベット体３０を前記リベット体支持装置Ｂの受け部材１６に載置した後、リング状の化粧部材５０を筒状ガイド１９の環状段部１９ａに載置する。尚、受け部材１６に対するリベット体３０の載置は、筒状ガイド１９の案内により容易に行える。
【００１７】
リング状の化粧部材５０は、ゴム、合成樹脂、金属等、任意の材料によって製作されるもので、図１０に示すように、リベット体３０の頭部３０ａに嵌合する浅い凹入部５０ａを有し、凹入部５０ａの中央には、スナップ嵌合体４０の裏面形状に対応する貫通孔５０ｂが形成されている。
【００１８】
そして、スナップ嵌合体４０とリベット体３０および化粧部材５０との間に、衣服の生地等の可撓性シート６０を介装させた状態で、図１に示すペダル２１を踏み込むと、図外の駆動機構により一回転クラッチを介して、昇降部材４が昇降駆動され、打込み装置Ａが下降することにより、図４に示すように、リベット体３０の突起３０ｂが可撓性シート６０を通してスナップ嵌合体４０の中央貫通孔に挿入される。
【００１９】
この状態からハンマー５だけがさらに下降して、図５に示すように、突起３０ｂを打撃し、突起先端部を拡径変形させてスナップ嵌合体４０の中央貫通孔にカシメ止めすることにより、前記化粧部材５０とリベット体３０とを一体化させ、図９に示すような雌型のスナップとなる。
【００２０】
上記の通り、本発明よれば、スナップファスナーの取付け時点で、化粧部材５０とリベット体３０とを一体化させるので、色彩や材質の異なる化粧部材５０と色彩の異なるリベット体３０を、予め、複数種類ずつ用意しておけば、それらを任意に組み合わせて、従来の化粧リベット体と同じような装飾効果の高い頭部を持った何種類ものスナップファスナーを構成することができ、少量多品種の商品でも低コストで製造できるのである。
【００２１】
尚、化粧部材５０を使用しない場合は、図６〜図８に示すように、前記環状段部１９ｂに何も載せず、通常の手順により、スナップファスナー取付け動作を行うことになる。
【００２２】
【発明の効果】
以上のとおり、本発明によれば、衣服等にスナップファスナーを取り付ける時点で、リベット体と、その頭部に外嵌するリング状化粧部材とを一体化して化粧リベット体を構成できるので、色彩や材質の異なる化粧部材と色彩の異なるリベット体を、予め、複数種類ずつ用意しておけば、それらを任意に組み合わせることによって、衣服の色やデザインにマッチした装飾効果の高い頭部を持った何種類ものスナップファスナーを構成することができ、少量多品種の商品でも低コストで製造できる効果がある。
【００２３】
また、請求項２に記載の発明によれば、既存のスナップファスナー取付け機におけるリベット体支持装置を、本発明に係るリベット体支持装置と取り替えることによって、上記の効果が得られるのである。
【図面の簡単な説明】
【図１】  スナップファスナー取付け機の全体側面図である。
【図２】  要部の縦断側面図である。
【図３】  作用を説明する要部の縦断側面図である。
【図４】  作用を説明する要部の縦断側面図である。
【図５】  作用を説明する要部の縦断側面図である。
【図６】  作用を説明する要部の拡大縦断側面図である。
【図７】  作用を説明する要部の拡大縦断側面図である。
【図８】  作用を説明する要部の拡大縦断側面図である。
【図９】  可撓性シートに取り付けられた雌スナップの拡大縦断側面図である。
【図１０】  リベット体とその化粧部材の構成を説明する斜視図である。
【図１１】  従来例を説明する縦断側面図である。
【符号の説明】
Ａ…打込み装置、Ｂ…リベット体支持装置、１９…筒状ガイド、１９ａ…環状段部、３０…リベット体、４０…スナップ嵌合体、５０…化粧部材。
【図１】
0003736884.tif 000002
【図２】
0003736884.tif 000003
【図３】
0003736884.tif 000004
【図４】
0003736884.tif 000005
【図５】
0003736884.tif 000006
【図６】
0003736884.tif 000007
【図７】
0003736884.tif 000008
【図８】
0003736884.tif 000009
【図９】
0003736884.tif 000010
【図１０】
0003736884.tif 000011
【図１１】
0003736884.tif 000012